(57)【要約】      （修正有）【課題】光学的効果に基づいて窓ガラスの雨滴のサイズを検出する雨センサを提供する。【解決手段】雨センサは、窓ガラス１００の第１の表面１０２上に装着されて、窓ガラスの反対側の第２の表面１０４上の水分１１５の量を検出する。雨センサは第１の表面から第２の表面へと導かれて第２の表面上に少なくとも２つの雨感知エリア１１８を形成する電磁放射を放射するための、少なくとも１つの放射器１１０、放射器が放射した雨感知エリアの内部で反射された放射を感知するための、および雨感知エリア上の水分の量を表す出力信号を生成するための、少なくとも１つの受信機１１２、ならびに、出力信号に基づいて最小水滴サイズを計算する制御ユニット１２０で構成される。【選択図】図１
2020008580.tif 000002
【特許請求の範囲】
【請求項１】
窓ガラス（１００）の第１の表面上に装着されて前記窓ガラスの反対側の第２の表面（１０４）上の水分（１１５）の量を検出する雨センサであって、
前記雨センサは、
前記第１の表面（１０２）から前記第２の表面（１０４）へと導かれる電磁放射を放射して、前記第２の表面上に少なくとも１つの雨感知エリア（１１８）を形成するための、少なくとも１つの放射器（１１０）と、
前記放射器が放射した前記雨感知エリアの内部で反射された放射を感知するための、および前記雨感知エリア上の前記水分の量を示す出力信号を生成するための、少なくとも１つの受信機（１１２）と、
前記出力信号に基づいて最小水滴サイズを計算するように動作可能な制御ユニット（１２０）と、を備える、
雨センサ。
【請求項２】
ｎ≧１であるｎ個の放射器（１１０）を備え、前記放射器はｎ個の別々の雨感知エリア（１１８）に向けて放射を発し、前記雨感知エリア（１１８）は直線状の連なり（１１９）を形成している、
請求項１に記載の雨センサ。
【請求項３】
ｍ≧２であるｍ２個の放射器（１１０）を備え、前記放射器（１１０）はｍ２個の別々の雨感知エリア（１１８）に向けて放射を発し、前記雨感知エリア（１１８）は二次配列を形成している、
請求項１に記載の雨センサ。
【請求項４】
前記電磁放射を案内するための放射集束手段を更に備える、
請求項１から３のいずれか一項に記載の雨センサ。
【請求項５】
前記窓ガラスと光集束手段との間に配置される光カプリング（１０６、１０８）を更に備える、
請求項４に記載の雨センサ。
【請求項６】
雨センサの信号から最小雨粒半径（Ｒｍｉｎ）を決定するための方法であって、前記雨センサは窓ガラスの第１の表面（１０２）上に装着されて前記窓ガラスの反対側の第２の表面（１０４）上の水分（１１５）の量を検出し、前記雨センサは、電磁放射を放射するための少なくとも１つの放射器（１１０）と、放射を感知するための少なくとも１つの受信機（１１２）と、制御ユニット（１２０）と、を備え、前記方法は：
前記電磁放射を前記第１の表面（１０２）から前記第２の表面（１０４）へと導いて、前記第２の表面（１０４）上に少なくとも２つの雨感知エリア（１１８）を形成するステップと、
前記放射器（１１０）が放射した前記電磁放射を検出するステップであって、前記放射は前記雨感知エリア（１１８）の内部で反射されている、検出するステップと、
前記雨感知エリア上の水分（１１５）の量を表す出力信号を生成するステップと、
前記出力信号に基づいて最小水滴サイズを計算するステップと、を含む、
方法。
【請求項７】
前記少なくとも１つの雨感知エリア（１１８）は本質的に円形の輪郭を有する、
請求項６に記載の方法。
【請求項８】
ｒとして表される前記単一の雨感知エリアの半径、およびＲｍｉｎとして表される前記最小水滴半径を用いて、相対的信号低下ΔＳは、ΔＳ＝Ｒｍｉｎ２／ｒ２、ただしＲｍｉｎ≦ｒ、によって与えられ、したがってＲｍｉｎ＝ΔＳ１／２ｒである、
請求項７に記載の方法。
【請求項９】
同一半径ｒを有する複数の雨感知エリア（１１８）が生成される、
請求項７に記載の方法。
【請求項１０】
前記雨感知エリア（１１８）は直線状の配列（１１９）を形成する、
請求項８に記載の方法。
【請求項１１】
隣接する雨感知エリア（１１８）の中心は最小距離（Ｄ）だけ離間され、前記最小距離（Ｄ）は前記同一半径の約２倍（２ｒ）である、
請求項９に記載の方法。
【請求項１２】
相対的信号低下ΔＳが計算され、隣接する雨感知エリアの縁部の間の距離がδであり、雨感知エリアの数はｋとして決定され、前記最小水滴サイズはＲｍｉｎ＝［ｋ（Ｄ＋δ）−δ］／２により計算される、
請求項１０に記載の方法。
【請求項１３】
前記雨感知エリア（１１８）はｍ  ｘ  ｍの二次配列を形成する、
請求項８に記載の方法。
【請求項１４】
隣接する雨感知エリア（１１８）は等しい距離（Ｄ）だけ互いから距離を置かれている、
請求項１２に記載の方法。
【請求項１５】
各雨感知エリアは、半径がｒ、隣接する雨感知エリアの縁部の間の距離がδであり、雨滴がｎ個の雨感知エリアに触れ、ここでｎ≧２であり、前記最小水滴サイズはＲｍｉｎ＝［（ｎ−２）（２ｒ＋δ）＋δ］／２により計算される、
請求項１および２に記載の方法。
【発明の詳細な説明】
【技術分野】
【０００１】
本発明は、光学的効果に基づいて雨滴のサイズを検出する雨センサに関する。本発明は更に、光学的効果に基づいて最小雨滴サイズを決定するための方法に関する。
【背景技術】
【０００２】
そのようなセンサの１つの可能な用途は、降雨を検出し、続いて降雨中に開いている窓を閉めるように、屋根窓などの窓を制御することである。別の用途は、雨センサを、自動車のフロントガラスのフロントガラスワイパーの領域上に装着するものである。フロントガラス上のセンサの動作エリア上に存在する水滴の量に応じて、これらの雨センサは、フロントガラスワイパーを制御するために使用される信号を評価回路に提供する。
【０００３】
いくつかの原理に基づく雨センサが存在する。あるものはピエゾ効果に基づいている（例えばＷＯ  ２００９／００３４７３  Ａ１に示されているもの）。またあるもの、例えばＤＥ１０  ２００５  ００６  ８６１  Ａ１に示されているものは、共振回路に相当する誘導性構成要素および容量性構成要素を有する導体構造を使用し、この場合、フロントガラスが濡れることにより、導体構成の周波数挙動が変化する。これにより、ＤＥ１０１２７９９０  Ａ１によって開示されているように、共振周波数の変動を、センサ素子の近くで凝結した水分の量の尺度として採用することが可能になる。
【０００４】
別の部類の雨センサでは、水滴によって埋めることができる絶縁ギャップによって分離された導電性の電極に基づいている。これらのセンサは抵抗性のものであってもよく、その場合電極は水滴が直接接触することになる窓の外面に設置され、または容量性のものであってもよく、その場合電極は誘電性コーティングもしくはガラスの層によって水滴から分離され、水滴が電極同士の間の容量を変化させるようになっている。ＥＰ  ２  ８８３  ０３４  Ｂ１に示されている概念は、導電ストリップを使用する。ＵＳ５６５９２９４  Ａからは、互いに平行な導電経路部分を有し、互いにくし状の様式で係合するが互いに電気接続されていない、２つの導電経路を採用することが知られている。暴風雨の間、導電性のストリップまたは経路は水の滴によって橋渡しされ、結果的な電気特性は電気測定グラフによって記述可能である。
【０００５】
他のセンサは、ＵＳ  ２００７／０２７２８８４  Ａ１に開示されているように、車両フロントガラスを撮像しこの画像を周波数分析にかけることに基づいている。この場合、高周波成分が検出されると、画像プロセッサが、画像の目盛の変化が生じている変化領域の幅を検出する。変化領域の幅が雨滴の直径に対応する所定の範囲内であるとき、画像プロセッサは雨滴がフロントガラス上にあると判定する。
【０００６】
多くの雨センサ（例えば、ＥＰ１２５７４４４  Ｂ１、ＤＥ１９７  ０１  ２５８  Ａ１、およびＵＳ  ２０１１／０２４２５４０  Ａ１に示されているもの）は、フロントガラスの外面における光の内部全反射を利用する。フロントガラスの内面に取り付けられたハウジングに入った放射器が放射を発し、これが外面で反射され、この結果同じハウジング内にある受信機を介して検出される。水滴で覆われた外面の領域は内部全反射を呈さず、したがって受信機は、外面上の水の量の尺度として信号の喪失を検出することになる。
【０００７】
そのような雨センサが経時的に検出した信号の突然の変化は、フロントガラスに個々の雨滴が当たっていることに対応している。したがって、時間分解された信号および雨センサによって探査された表面積のサイズから、雨強度として表される、単位時間あたりの表面単位あたりの水滴の数を推測できる。
【発明の概要】
【発明が解決しようとする課題】
【０００８】
しかしながら、雨強度は多くの場合、運転者の視界を精確に評価するには十分ではない。結論として、本発明の根底にある目的は、運転者の視界をより精確に判定し、同時に堅牢かつ経済的に製造（ｆａｃｔｏｒｉｚｅ）できる雨センサを提供することである。
【課題を解決するための手段】
【０００９】
この目的は独立請求項の主題によって解決される。本発明の代替の実施形態が、従属請求項の主題である。
【００１０】
したがって、ワイパーのより良好な制御を可能にするような全体像を得るために、本発明は、雨滴のサイズを決定することも提案する。本発明は、特に、窓ガラスの第１の表面上に装着されて窓ガラスの反対側の第２の表面上の水分の量を検出する雨センサ、第１の表面から第２の表面へと向けられて第２の表面上に少なくとも１つの雨感知エリアを形成する電磁放射を放射するための、少なくとも１つの放射器、放射器が放射した雨感知エリアの内部で反射された放射を感知するための、および雨感知エリア上の水分の量を表す出力信号を生成するための、少なくとも１つの受信機、および、出力信号に基づいて最小水滴サイズを計算するように動作可能な制御ユニット、に関する。
【００１１】
ある実施例では、雨センサはｎ≧１であるｎ個の放射器を備え、これらの放射器はｎ個の別々の雨感知エリアに向けて放射を発し、雨感知エリアは直線状の連なりを形成しており、隣接する雨感知エリア間の距離は等しいかまたは等しくない。
【００１２】
別の実施形態では、雨は、ｍ≧２であるｍ２個の放射器を備え、これらの放射器はｍ２個の別々の雨感知エリアに向けて放射を発し、雨感知エリアは二次配列を形成している。各構成は、光信号の変化が最小雨滴サイズに応じて増減するので、最小雨滴サイズを光信号の変化から容易に決定できるようになる、という利点を有する。各構成は、光信号と最小雨滴サイズとの間で特定の関係を有する。
【００１３】
雨センサは更に、電磁放射を案内するための放射集束手段と、窓ガラスと光集束手段との間に配置されることになる光カプリングとを備えてもよい。これにより放射を効果的に使用して、損失を回避できる。
【００１４】
本発明は更に、雨センサの信号から最小雨粒半径（Ｒｍｉｎ）を決定するための方法を含む。この方法において、雨センサは窓ガラスの第１の表面上に装着されて窓ガラスの反対側の第２の表面上の水分の量を検出し、雨センサは、電磁放射を放射するための少なくとも１つの放射器と、放射を感知するための少なくとも１つの受信機と、制御ユニットと、を備える。方法は、電磁放射を第１の表面から第２の表面へと導いて第２の表面上に少なくとも１つの雨感知エリアを形成するステップと、放射器が放射した電磁放射を検出するステップであって、放射は雨感知エリアの内部で反射されている、検出するステップと、雨感知エリア上の水分の量を表す出力信号を生成するステップと、出力信号に基づいて最小水滴サイズを計算するステップと、を含む。
【００１５】
本発明のいくつかの実施形態では、少なくとも１つの雨感知エリアは、本質的に円形の輪郭を有する。直線状の輪郭もまた可能である。本発明のいくつかの実施形態では、同一半径ｒ（および直径Ｄ＝２ｒ）を有する複数の雨感知エリアが生成される。本発明のいくつかの実施形態では、雨感知エリアは、円形のまたは直線状の配列を形成する。
【００１６】
本発明のいくつかの実施形態では、隣接する雨感知エリアの縁部は距離δだけ離間されている。この場合、相対的信号低下（ｒｅｌａｔｉｖｅ  ｓｉｇｎａｌ  ｄｒｏｐ）ΔＳが計算され、上記最小水滴サイズはＲｍｉｎ＝ｆ（ｎ、Ｄ、δ、ΔＳ）として計算される。この等式は、センサの動作表面の幾何形状（円、正方形、直線状の連なり、二次配列…）に、および水滴の形状に依存する。
【００１７】
本発明のいくつかの実施形態では、単一の雨感知エリアしか存在しない。この場合、最小水滴半径は、相対的信号低下の平方根に合わせて増減する。
【００１８】
添付の図面は明細書に組み込まれて明細書の一部を形成しており、本発明のいくつかの実施形態を例示している。これらの図面はその説明と併せて、本発明の原理を説明する役割を果たす。図面は単に本発明を製作および使用する方法の好ましい例および代替の例を説明することを目的としたものであり、本発明を図示され記載された実施形態のみに限定するものと見なされるべきではない。更に、実施形態のいくつかの態様は−個々にまたは様々な組み合わせで−本発明による解決法を形成し得る。以下に記載する実施形態はしたがって、単独でまたはそれらを任意に組み合わせて検討することができる。更なる特徴および利点が、本発明の様々な実施形態の以下のより具体的な説明から明らかになるであろう。それらは同様の参照符号が同様の要素を指している、以下の添付の図面に例示されている。
【図面の簡単な説明】
【００１９】
【図１】単一の放射器が放射した放射の内部全反射に基づく、雨センサの原理的な構成を描いた図である。
【図２】連続的な戦略および離散的な戦略から成る、最小雨滴サイズを評価するための２つの手法を説明する図である。
【図３】単一の雨感知エリアが部分的に雨粒によって覆われている３つのシナリオを、最小限の半径を有するそれぞれの水滴と比較して示す図である。
【図４】図４Ａから図４Ｅは、雨感知エリアを覆う雨滴の幾何形状および対応する光信号を概略的に示す図である。
【図５】様々な雨滴サイズに対する相対的光信号の分布および雨滴サイズに相関するものとして観察される相対的光信号を示す図である。
【図６】雨感知エリアの第１の有利な構成を示す図である。
【図７】雨感知エリアの代替の構成を示す図である。
【図８】雨感知エリアの第２の代替の構成を示す図である。
【図９】雨感知エリアの第３の代替の構成を示す図である。
【図１０】雨感知エリアの第４の代替の構成を示す図である。
【図１１】図７に描写した雨感知エリアの代替の構成に関する、雨滴サイズに相関するものとして観察される相対的光信号を示す図である。
【図１２】別の実施形態に係る、２つの隣接する雨感知エリアを示す図である。
【発明を実施するための形態】
【００２０】
ここで本発明について、図を参照し、まず図１を参照してより詳細に説明する。図１に示すように、窓ガラス１００は、第１の表面１０２と第２の表面１０４とを有する。車両のフロントガラスワイパーを制御する雨センサという文脈では、第１の表面１０２は車両の内部を向いている。家屋の屋根窓を閉めるのを制御する雨センサという文脈では、第１の表面１０２は家屋の内部を向いている。
【００２１】
窓ガラス１００の第１の表面１０２には、ゲルから成っていてもよい中間の軟質の層１０８を介して、硬質の層１０６が結合されている。軟質の層とは反対側の硬質の層１０６の面には、少なくとも１つの発光ダイオード（ＬＥＤ）１１０および少なくとも１つの光ダイオード１１２が装着されている。放射器は可視光または赤外光を放射できる。硬質の層１０６および軟質の層１０８、ならびにフロントガラス１００は、放射器が放射した光を透過する。
【００２２】
光学素子は、放射器が放射した光をコリメートする。このコリメータは、放射器１１０からの入射光線１１４が、光線が法平面と臨界角（フロントガラスの光学指数および大気の光学指数による）よりも大きい角度を成すようにしてフロントガラス１００に入るように構成されている。したがって、第２の表面１０４が乾燥していて汚れていないとき、光は内部全反射に起因して、フロントガラスの外面で反射されて検出器１１２に戻ることになる。
【００２３】
第２の表面１０４における放射器１１０が放射した光によって照射されるエリアは、雨感知エリア１１８として表される。
【００２４】
光線が当たる窓ガラスの第２の表面上のエリアが雨滴１１５によって覆われているとき、光は反射されず、代わりに第２の表面の上方の片側の空間１１７内へと透過される。放射器１１０および受信機１１２は、光ダイオード１１２から出力信号を受信し更にＬＥＤ１１０を駆動する、電力および測定回路１２０に接続されている。
【００２５】
図１に描かれた構成は、単一の雨感知エリア１１８しか含んでいない。複数の放射器および／またはセンサが採用され、光が光学素子によって好適に案内される場合、複数の雨感知エリア１１８が得られる。
【００２６】
図２は最小雨粒サイズを決定するための２つの手法を示しており、これらの手法は連続的な戦略および離散的な戦略から成る。連続的な戦略は、雨感知エリアの雨滴によって覆われた部分を決定するものである。離散的な戦略は、雨滴が触れた雨感知エリアの数を決定するものである。
【００２７】
図３は、単一の雨感知エリアに適用された、連続的な戦略による最小雨滴サイズの尺度の原理を示す。左側の列は、部分的に雨粒によって覆われている（暗色の円）単一の雨感知エリア（白色の円）の３つのシナリオを示す。右側の列は、最小限の半径を有する水滴の面積が実際の水滴によって覆われた雨感知エリアの面積に等しくなるように定められた、最小限の半径を有するそれぞれの水滴を示す。雨感知エリアの半径がｒとして、および最小水滴半径がＲｍｉｎとして表される場合、相対的信号低下ΔＳは、ΔＳ＝Ｒｍｉｎ２／ｒ２、ここでＲｍｉｎ≦ｒ、によって与えられる。したがって、Ｒｍｉｎ＝ΔＳ１／２ｒである。この原理は、複数の雨感知エリアと適合させることができる。
【００２８】
図４（上側のパネル）は、フロントガラスに対して垂直に見たときの、連なり１１９として配置された４つの雨感知エリア１１８を示す。雨感知エリアは全て等しいサイズのものであり、０．２ｍｍから１０ｍｍの典型的な半径ｒを呈する。隣接する雨感知エリア１１８の中心の間の典型的な距離Ｄは、０から１０ｍｍである。
【００２９】
図４Ａに示すように、全ての雨感知エリア１１８が乾燥している。図４Ｂには、単一の雨滴１１５が雨感知エリアのうちの１つを覆っている構成が示されている。更に、図４Ｃ〜図４Ｅは、雨滴がそれぞれ２つ、３つ、または４つの雨感知エリア１１８を覆っている構成を示している。下側のパネルには、対応する光信号が示されている。雨粒によって覆われている雨感知エリア１１８が無いとき、光信号は可能な最大値である１００％をとる。単一の雨感知エリアが雨粒によって覆われているとき、相対的光信号は７５％である。更に、２つの雨感知エリアが雨粒によって覆われているとき、相対的光信号は５０％である。３つの雨感知エリアが雨粒によって覆われているとき、相対的光信号は２５％である。最後に、４つの雨感知エリアが雨粒によって覆われているとき、相対的光信号は０％である。
【００３０】
図４Ｂ〜図４Ｅでは、水滴サイズに応じて、１つ、２つ、３つ、または４つのいずれかの雨感知エリアが、完全に水滴で覆われている。ただし、中間の水滴サイズについては、または水滴が垂直方向または水平方向に位置を変える場合、水滴はやはり雨感知エリアを覆う場合があるが、部分的にのみである。
【００３１】
ｉ＝１、…、ｎであるＡｉが雨感知エリアｉのサイズを、およびΔＡｉが雨粒によって覆われた雨感知エリアｉのサイズを表す場合、割合Δａ＝Σｉ  ΔＡｉ／Σｉ  Ａｉは、水滴によって覆われる雨感知エリアの相対的なサイズである。右辺は相対的信号低下に等しく、すなわちΔａ＝ΔＳである。
【００３２】
所与の雨滴サイズについて観察可能な信号強度の分布は、モンテカルロシミュレーションから得ることができる。この場合、各水滴サイズに関して、水滴は全て無作為に配置され、それらの中心は４つの雨感知エリアを包囲する矩形のエリア内で均一に分布される。各位置について、雨感知エリアの水滴で覆われた部分の相対的なサイズ、およびしたがって対応する相対的な信号が決定される。
【００３３】
そのようなシミュレーションから得られた、所与の雨滴サイズについて観察可能な信号強度の分布が、図５に示されている。水滴サイズが消失する極限では、放射器から放射され雨感知エリアの任意の部分の外面に当たる放射の最大値が、受信機によって検出されることになり、最大信号強度である１に達する。雨感知エリアの一部が雨粒によって覆われている場合、１００％から雨粒のサイズによって決まるそれより低い境界値の間の信号が観察される。様々な水滴サイズに対する相対的信号の分布が、図５に示されている（下部）。
【００３４】
図５（上部）は、図４に示す雨感知エリア１１８の直線状の構成に関して、信号低下ΔＳの最大変化ΔＳｍａｘが、雨粒Ｒの半径に合わせて線形に増大することを示している。
【００３５】
図７から図１０に示すように、（図６に描かれた直線状の構成と対照される）代替の実施形態では、雨感知エリア１１８は正方形、ひし形、もしくは六角形の角に位置付けられてもよく、または矩形を形成してもよい。
【００３６】
図１１は、雨感知エリアが正方形の角にある場合、すなわち最小の二次配列を形成している場合に、最大信号低下ΔＳｍａｘが水滴サイズに合わせて増減することを示している。実際には、感知エリアの各構成について、ΔＳと最小雨滴サイズとの間の関係はそれぞれであり、必ずしも線形ではない。対照的に、上に示したように、雨感知エリアが直線状の連なりを形成している場合は、ＲｍｉｎはΔＳにおいて線形である。したがって、後者の場合、ＲｍｉｎはΔＳに対してより敏感である。この理由から、Ｒｍｉｎを正確に決定するためには、雨感知エリアが二次配列を形成する実施形態ｉよりも、雨感知エリアが直線状の連なりを形成する実施形態の方が好ましい。
【００３７】
まとめれば、再び図２を参照すると、最小雨滴サイズは、雨粒が触れる感知エリアの数から推測することができる。言い換えれば、最小雨滴サイズはまた、覆われた感知エリアの割合は利用できないがそれらが（部分的にまたは完全に）覆われているという事実だけは利用できる場合に、離散的な観点から定義することもできる。
【００３８】
ここで、図１２に示す用語を使用すると、δは隣接する雨感知エリアの縁部の間の距離を表し、Ｄは感知エリアの直径を表す（ｒは半径である；Ｄ＝２ｒ）。ここで、次の等式に関する用語としては、ｉ＝１、…、ｎであるＡｉは雨感知エリアｉのサイズを、ΔＡｉは雨粒によって覆われた雨感知エリアｉのサイズを表し、ΔＳ＝Σｉ  ΔＡｉ／Σｉ  Ａｉは水滴によって覆われた雨感知エリアの相対的なサイズを、ｎはセンサ上の感知エリアの数を表している。
【００３９】
最小雨滴サイズの決定は２つの戦略を用いて演算することができる：
（１）相対的信号低下ΔＡｉが（各雨感知エリア上で）測定され、上記最小水滴サイズはＥｑ．１により計算される；
（２）水滴が衝突した雨感知エリアの数がカウントされ、上記最小水滴サイズがＥｑ．２として計算される。
【００４０】
Ｅｑ．１によれば、最小水滴サイズの半径は、以下のように記述される：
Ｒｍｉｎ＝ｆ（ｎ、Ｄ、δ、ΔＡｉ）  （Ｅｑ．１）
単一の円形の雨感知エリアでは、最小雨滴半径はＥｑ．１Ａによって与えられる：
Ｒｍｉｎ＝ΔＳ１／２ｒ  （Ｅｑ．１Ａ）
複数の雨感知エリアを用いる場合、この等式は（例えばモンテカルロシミュレーションを用いて）別様に定義する必要がある。この等式は、センサの動作表面の幾何形状（円、正方形、直線状の連なり、二次配列…）に、および水滴の形状に依存する。
【００４１】
しかしながら、１つの特別な場合をモデル化することができる。雨感知エリアが、図４（上側のパネル）または図６に示す実施形態のように直線状の連なりとして配置されており、所与の雨感知エリアが水滴によって完全に覆われているまたはどのような水滴も完全に存在しないと見なすと、この等式は以下のようになる。
Ｒｍｉｎ＝［ｋ（Ｄ＋δ）−δ］／２  （Ｅｑ．１Ｂ）
上記の等式は単に単純化したものであり、特定の場合にのみ有効である。
【００４２】
等式２は以下の通りである。
Ｒｍｉｎ＝［（ｋ−２）＊（Ｄ＋δ）＋δ］／２  ここで（ｋ＞１）  （Ｅｑ．２）
【符号の説明】
【００４３】
１００  窓ガラス
１０２  第１の表面
１０４  第２の表面
１０６  平坦な硬質の層；第１の光学結合手段
１０８  中間の軟質の層；第２の光学結合手段
１１０  発光ダイオード（ＬＥＤ）
１１２  光ダイオード
１１４  入射光線
１１５  雨滴
１１７  窓ガラスの第２の表面の上方の片側の空間
１１８  雨感知エリア
１２０  電力および測定回路
【図１】
2020008580.tif 000003
【図２】
2020008580.tif 000004
【図３】
2020008580.tif 000005
【図４】
2020008580.tif 000006
【図５】
2020008580.tif 000007
【図６】
2020008580.tif 000008
【図７】
2020008580.tif 000009
【図８】
2020008580.tif 000010
【図９】
2020008580.tif 000011
【図１０】
2020008580.tif 000012
【図１１】
2020008580.tif 000013
【図１２】
2020008580.tif 000014
【外国語明細書】
2020008580000001.pdf